(57)【要約】      （修正有）【課題】アルミ押出形材で形成した外壁板材を使用して建物の外壁面葺を提供する。【解決手段】長尺に形成した平坦部３の裏面にリブ部を形成し、平坦部の両端に接続部６を設けたアルミ押出形材からなる外壁板材２と、中央に位置した溝部２４の両側で対称位置に支持脚部２５を形成し、支持脚部の外側壁面に支持部２６を設け、支持部の一端に係止凸部２７を形成したアルミ押出形材からなる連結片２３と、屋根部の下端内側に連結片２３の係止凸部２７と嵌合する係止凹部３３を形成したアルミ押出形材からなる防水蓋片３０とからなり、互いに隣接する外壁板材２、２′の接続部６、６′に連結片２３の支持脚部２５を位置し、連結片２３の溝部２４のネジ孔から固定部材３８で外壁下地Ｘに取付け、次いで、連結片２３の係止凸部２７に防水蓋片３０の係止凹部３３を嵌合して外壁下地Ｘの表面に敷設する。【選択図】図１３
2016121456.tif 000002
【特許請求の範囲】
【請求項１】
縦方向を長尺に形成した平坦部（３）の裏面にリブ部（５）を形成し、該平坦部の両側端に左右対称な接続部（６、６）を設けたアルミ押出形材からなる第１外壁板材（２）と、
中央に位置した溝部（２４）両側の対称位置に支持脚部（２５、２５）を形成し、該支持脚部の外側壁面（２５ａ）に設けた支持部（２６）の一端に係止凸部（２７）を形成したアルミ押出形材からなる連結片（２３）と、
台形に形成した屋根部（３１）の下端内側に前記連結片（２３）の係止凸部（２７）と嵌合する係止凹部（３３）を形成したアルミ押出形材からなる第１防水蓋片（３０）とからなり、
互いに隣接させた第１外壁板材（２、２′）の接続部（６、６′）内に連結片（２３）の支持脚部（２５、２５）をそれぞれ位置させ、前記連結片（２３）に設けた溝部（２４）のビス孔（２８）から固定部材（３８）を挿入させて外壁下地Ｘに取付け、次いで、連結片（２３）の係止凸部（２７、２７）に、前記第１防水蓋片（３０）の係止凹部（３３、３３）を嵌合させて壁葺することを特徴とする外壁連結構造体。
【請求項２】
前記第１外壁板材（２）の平坦部（３ａ）は、幅方向全体を緩やかに湾曲させてなることを特徴とする請求項１記載の外壁板材とその連結構造体。
【請求項３】
前記第１外壁板材（２）の平坦部（３、３ａ）は、表面全体に波形形状をした起伏部（４）を上下方向に連続して設けてなることを特徴とする請求項１または２記載の外壁板材とその連結構造体。
【請求項４】
前記平坦部（３、３ａ）の表面に設けた起伏部（４）は、中央部分の波形形状の幅を短く、両端部分の波形形状の幅を広く形成したことを特徴とする請求項３記載の外壁連結構造体。
【請求項５】
前記第１外壁板材（２）の両側端に設けた接続部（６、６）は、並行に位置して形成した内壁部（８）と外壁部（９）との間に上部を開放した溝部（７）を形成し、前記外壁部（９）の上端を内側に折り曲げた返し部（１０）を設けてなることを特徴とする請求項１記載の外壁連結構造体。
【請求項６】
前記連結片（２３）は、中央に位置したＵ字形の溝部（２４）の長手方向に任意間隔でネジ孔（２８）を設けてなることを特徴とする請求項１記載の外壁連結構造体。
【請求項７】
前記第１防水蓋片（３０）は、台形に形成した屋根部（３１）の頂部に設けた水平な溝部（３２）の両側と、前記屋根部（３１）の表面全体に波形形状の起伏部（３５）を形成すると共に、前記屋根部（３１）の裏側に雨水浸入を防止する空間部（３６）を設けてなることを特徴とする請求項１記載の外壁連結構造体。
【請求項８】
表面に塗膜層を有した平坦部（１３）の全体を緩やかに湾曲させると共に、表面全体に波形形状の起伏部（１５）を形成し、該平坦部の裏面に一対のリブ部（１６、１６）を設け、前記平坦部（１３）の幅方向両端には左右対称に接続部（１７、１７）を形成したアルミ押出形材からなる第２外壁板材（１２）と、
中央に位置した溝部（２４）両側の対称位置に形成した支持脚部（２５、２５）の外側壁面の水平方向に設けた支持部（２６）の一端に係止凸部（２７）を有したアルミ押出形材からなる連結片（２３）と、
台形に形成した屋根部（４１）の頂部に設けた水平な溝部（４３）の両側と、屋根部（４１）の表面全体に波形状の起伏部（４５）を形成すると共に、前記屋根部（４１）の下端内側に前記連結片（２３）の係止凸部（２７）と嵌合する係止凹部（４３）を設けたアルミ押出形材からなる第２防水蓋片（４０）とからなり、
互いに隣接させた第２外壁板材（１２、１２′）の接続部（１７、１７′）内に連結片（２３）の支持脚部（２５、２５）をそれぞれ位置させ、前記連結片（２３）に設けた溝部（２４）のビス孔（２８）から固定部材（３８）を挿入させて外壁下地Ｘに取付け、次いで、連結片（２３）の係止凸部（２７、２７）に、前記第２防水蓋片（４０）の係止凹部（４３、４３）を嵌合させて壁葺することを特徴とする外壁連結構造体。
【請求項９】
前記第２外壁板材（１２）の平坦部（１３）表面に設けた起伏部（１５）は、中央部分の波形形状の幅を短く、両端部分の波形形状の幅を広く形成したことを特徴とする請求項８記載の外壁連結構造体。
【発明の詳細な説明】
【技術分野】
【０００１】
本発明は、アルミ押出し成形により形成した外壁板材の連結構造に関する。
【背景技術】
【０００２】
従来、建物、特に中・高層ビルや一般住宅などの外壁下地に取付ける外壁板材の多くは、安価で加工が容易なトタン板、ガルバリュウム鋼板などの金属系外壁材、または、丈夫で耐火性を有する窯業系外壁材などが使用されている。さらには、高価ではあるが軽量で耐久性、防水性、断熱性に優れたアルミ板材を使用したアルミ系外壁材など多種多様である。
【０００３】
前記した金属系外壁材は、軽量で安価ではあるが、昼夜または季節による温度変化により外壁板が伸縮したり、結露しやすく、耐久性、断熱性、遮音性に問題がある。また、窯業系板材は、原材料が粘土やセメントなどを高熱処理して焼き固めて形成するため、製造工程が複雑で壁板材の重量が重く壁面に負担がかかり地震などの災害が起きた時にはヒビが入ったり割れやすく長期間の使用に耐えることができない。そこで、軽量で、耐久性、防水性を有するアルミ押し出し成形により形成した壁板材が広く知られている（例えば、特許文献１、２参照）。
【先行技術文献】
【特許文献】
【０００４】
【特許文献１】特開平５−９３４５５号
【特許文献２】特開２０００−３２８７２６号
【０００５】
しかし、前記した従来のアルミ押出形材により形成した外壁板材は、壁板材同士の接合部分にシール材を充填して雨水の浸入を防止しているため壁葺作業に手間がかかり作業効率が悪くなる。また、シール材は経年変化により劣化するため定期的なメンテナンスが必要であるなどの問題点を有している。
【発明の概要】
【発明が解決しようとする課題】
【０００６】
本発明は、前記問題点を解決するため耐久性、断熱性、防水性などに優れているアルミ押し出し成形により形成した板材のみを使用して外壁葺を行うことにより、定期的なメンテナンスを不要とし、長期間使用することができる。また、アルミ押し出し形材により形成した外壁板材を使用することにより、寒冷地でも雪が壁面に付着するのを防止することができる。さらに、壁板材と壁面との間に空気が流通する空間を設けて換気をできるようにし、また、冬季などの気温が下がる時期でも板材の伸縮によるきしみ音を防止することを目的とするものである。
【課題を解決するための手段】
【０００７】
そこで請求項１の発明は、縦方向を長尺に形成した平坦部３の裏面にリブ部５を形成し、該平坦部の両側端に左右対称な接続部６、６を設けたアルミ押出形材からなる第１外壁板材２と、中央に位置した溝部２４両側の対称位置に支持脚部２５、２５を形成し、該支持脚部の外側壁面２５ａに設けた支持部２６の一端に係止凸部２７を形成したアルミ押出形材からなる連結片２３と、台形に形成した屋根部３１の下端内側に前記連結片２３の係止凸部２７と嵌合する係止凹部３３を形成したアルミ押出形材からなる第１防水蓋片３０とからなり、互いに隣接させた第１外壁板材２、２′の接続部６、６′内に連結片２３の支持脚部２５、２５をそれぞれ位置させ、前記連結片２３に設けた溝部２４のビス孔２８から固定部材３８を挿入させて外壁下地Ｘに取付け、次いで、連結片２３の係止凸部２７、２７に、前記第１防水蓋片３０の係止凹部３３、３３を嵌合させて壁葺することを特徴とする。また、前記第１外壁板材２の平坦部３ａは、幅方向全体を緩やかに湾曲させてなることを特徴とする。さらに、前記第１外壁板材２の平坦部３、３ａは、表面全体に波形形状をした起伏部４を上下方向に連続して設けてなることを特徴とする。さらにはまた、前記平坦部３、３ａの表面に設けた起伏部４は、中央部分の波形形状の幅を短く、両端部分の波形形状の幅を広く形成したことを特徴とする。また、前記第１外壁板材２の両側端に設けた接続部６、６は、並行に位置して形成した内壁部８と外壁部９との間に上部を開放した溝部７を形成し、前記外壁部９の上端を内側に折り曲げた返し部１０を設けてなることを特徴とする。さらに、前記連結片２３は、中央に位置したＵ字形の溝部２４の長手方向に任意間隔でネジ孔２８を設けてなることを特徴とする。さらにはまた、前記第１防水蓋片３０は、台形に形成した屋根部３１の頂部に設けた水平な溝部３２の両側と、前記屋根部３１の表面全体に波形形状の起伏部３５を形成すると共に、前記屋根部３１の裏側に雨水浸入を防止する空間部３６を設けてなることを特徴とする。
【０００８】
したがって、複数の第１外壁板材２と、複数の連結片２３と、複数の第１防水蓋片３０を使用して建物の外壁葺を行う連結構造体１は、シール材を使用することなく施工を行うことができるので効率的、且つ、経済的に壁葺施工を行うことができる。また、連結時において、接続部６の外壁部９に返し部１０を設け、連結片２３の支持脚部２５を前記接続部６の溝部７内に位置させ、且つ、内部に広い空間部３６を有した防水蓋片３０を連結片２３の支持部２６に取付けたことにより、雨仕舞が良くなり雨水の浸入を防止することができる。さらに外壁板材２の平坦部３の裏側にリブ部５を設けて外壁下地Ｘとの間に空気が流通する流路Ｙを設けたことにより、夏は屋内の温度を下げ、冬期は湿気による結露を防止することができ、且つ、冬季などの気温が下がる時期でも板材の伸縮によるきしみ音を防止することができる。
【０００９】
請求項８の発明は、表面に塗膜層を有した平坦部１３の全体を緩やかに湾曲させると共に、表面全体に波形形状の起伏部１５形成し、該平坦部の裏面に一対のリブ部１６、１６を設け、前記平坦部１３の幅方向両端には左右対称に接続部１７、１７を形成したアルミ押出形材からなる第２外壁板材１２と、中央に位置した溝部２４両側の対称位置に形成した支持脚部２５、２５の外側壁面の水平方向に設けた支持部２６の一端に係止凸部２７を有したアルミ押出形材からなる連結片２３と、台形に形成した屋根部４１の頂部に設けた水平な溝部４３の両側と、屋根部４１の表面全体に波形状の起伏部４５を形成すると共に、前記屋根部４１の下端内側に前記連結片２３の係止凸部２７と嵌合する係止凹部４３を設けたアルミ押出形材からなる第２防水蓋片４０とからなり、互いに隣接させた第２外壁板材１２、１２′の接続部１７、１７′内に連結片２３の支持脚部２５、２５をそれぞれ位置させ、前記連結片２３に設けた溝部２４のビス孔２８から固定部材３８を挿入させて外壁下地Ｘに取付け、次いで、連結片２３の係止凸部２７、２７に、前記第２防水蓋片４０の係止凹部４３、４３を嵌合させて壁葺することを特徴とする。また、前記第２外壁板材１２の平坦部１３表面に設けた起伏部１５は、中央部分の波形形状の幅を短く、両端部分の波形形状の幅を広く形成したことを特徴とする。
【００１０】
したがって、建物の外壁下地Ｘに複数の第２外壁板材１２と、複数の連結片２３と、該連結片をカバーする複数の第２防水蓋片４０を組み合わせて外壁葺を行うことにより、シール材を使用することなく連結して壁葺きを行うことができるので効率的で経済的な壁葺施工を行うことができる。また、第２外壁板材１２の平坦部１３は中央を低く両側を高くして全体を湾曲させ、表面に波形形状の起伏部１５を設けたことにより、アルミ材を押出し成形する際の歪みや電解塗装による塗装面の色ムラや乱反射を防止することができる。さらには、第２外壁板材１２の接続部１７の外壁部２０に返し部２１を設け、連結片２３の支持脚部２５を前記接続部１７の溝部１８内に位置させ、且つ内部に広い空間部４６を有した第２防水蓋片４０を連結片２３に取付けることにより、雨水の浸入を防止することができる。さらに第２外壁板材１２の平坦部１３の裏側にリブ部１６を設けて外壁下地Ｘとの間に空気を流通させる流路Ｙを設けたことにより夏は屋内の温度を下げ、冬期は湿気による結露を防止することができ、且つ、冬季などの気温が下がる時期でも板材の伸縮によるきしみ音を防止することができる。
【図面の簡単な説明】
【００１１】
【図１】第１外壁板材と連結片と第１防水蓋片とを使用して壁葺した外壁面の一部破断した正面図である。
【図２】第１外壁板材の一部破断した斜視図である。
【図３】第１外壁板材の平坦部を湾曲させて一部破断した斜視図である。
【図４】第１外壁板材の平坦部上面に起伏部を設けて一部破断した正面図である。
【図５】連結片の一部破断した斜視図である。
【図６】連結片の一部破断した平面図である。
【図７】第１防水蓋片の一部破断した斜視図である。
【図８】第２外壁板材の一部破断した斜視図である。
【図９】図８のＡ部分の拡大断面図である。
【図１０】図８のＢ部分の拡大断面図である。
【図１１】第２防水蓋片の正面図である。
【図１２】図１１のＣ部分の拡大断面図である。
【図１３】第１外壁板材と連結片と第１防水蓋片とで外壁下地に施工した状態の一部破断した断面図である。
【図１４】図１３の要部拡大断面図である。
【図１５】外壁下地に装着した外壁連結構造体の空気流通路を示す一部省略した説明図である。
【図１６】図１５のＥ部分の拡大断面図である。
【図１７】図１５のＦ部分の拡大断面図である。
【発明を実施するための形態】
【００１２】
以下、本発明の実施の形態を図面により説明すると、図１は第１外壁板材と連結片と第１防水蓋片とを使用して外壁葺した壁面の一部破断した正面図、図２は第１外壁板材の一部破断した斜視図、図３は第１外壁板材の平坦部を湾曲させて一部破断した斜視図、図４は第１外壁板材の平坦部上面に起伏部を設けて一部破断した正面図、図５は連結片の一部破断した斜視図、図６は連結片の一部破断した平面図、図７は第１防水蓋片の一部破断した斜視図である。本発明に係る外壁連結構造体１は、建物の外壁下地Ｘに取付ける複数の第１外壁板材２と、互いに隣接する第１外壁板材２、２を連結する連結片２３と、該連結片の上面に被せて防水する第１防水蓋片３０とをそれぞれ互いに連結して敷設する。前記第１外壁板材２、連結片２３および第１防水蓋片３０は、それぞれアルミ合金材を押出成形により形成し、表面を用途に応じた色に公知の塗装方法、例えば電解着色塗装による塗膜層（図示せず）を設けてある。
【００１３】
前記第１外壁板材２は、図２に示すごとく、アルミ合金材を押出成形して同一断面形状により縦方向を長尺にした平坦部３を水平に形成し、該平坦部の裏面縦方向に一対のリブ部５を設け、幅方向両端に接続部６、６をそれぞれ一体に形成してある。
【００１４】
また、図３に示すごとく、第１外壁板材２の平坦部３ａは、全体を円弧状に湾曲させて両端に接続部６、６を一体に形成してある。前記平坦部３ａ全体を湾曲させることにより、押出成形によるゆがみを防止することができる。
【００１５】
さらには、図４に示すごとく、前記平坦部３、３ａの表面に波形、山形または凹凸状に形成した起伏部４を設け、該起伏部の形状は、平坦部の中央付近（裏面に設けたリブ部５とリブ部５の内側）は波形形状の振幅を短く、両端側（リブ部５の外側）は波形形状の振幅を広く形成してある。平坦部３、３ａの上面に設けた起伏部４の振幅を変化させることにより、電解着色塗装により形成した塗膜層の色ムラや乱反射を防止すると共に、外壁面としての景観を向上させることができる。
【００１６】
前記第１外壁板材２の両側端に設けた接続部６は左右対称に形成してあり、該接続部の中央内部に位置した溝部７の内側には内壁部８、外側には外壁部９を一体に形成してあり、内壁部８よりやや高くした外壁部９の上端を内側に折り曲げて水切り用の返し部１０を設けてある。
【００１７】
連結片２３は、図５に示すごとく、アルミ合金材を押出成形により長尺に形成し、中央に設けたＵ字形の溝部２４の両側には左右対称位置に支持脚部２５、２５を設けてある。前記支持脚部２５、２５の外側壁面２５ａ、２５ａの上方部分には水平方向に支持部２６、２６を一体に形成し、該支持部の一端に係止凸部２７、２７をそれぞれ設けてある。さらに、図６に示すごとく、前記連結片２３に設けた溝部２４の長手方向には、連結片２３を外壁下地Ｘに取付けるためのネジ孔２８を一定間隔で複数設けてある。
【００１８】
第１防水蓋片３０は、図７に示すごとく、アルミ合金材を押出成形により同一断面形状の台形に形成した屋根部３１の頂部に設けた水平な溝部３２を形成し、前記屋根部３１の両下端内側に前記連結片２３の係止凸部２７と嵌合する係止凹部３３を一体に形成し、該係止凹部の下面に前記連結片２３の係止凸部２７にスムースに嵌合させるためのガイド部３４を緩やかに湾曲させて設け、前記屋根部３１の内側には、雨水の浸入を防止するための空間部３６を設けてある。
【００１９】
図８は、外壁板材の第２の実施の形態を示す第２外壁板材１２で、アルミ合金材を押出成形により、全体を円弧状に湾曲させた平坦部１３の表面に波形の起伏部１５を形成し、該平坦部の両端にそれぞれ接続部１７、１７を設けてある。
【００２０】
前記平坦部１３を湾曲させることにより、押出成形により形成した板材の歪を防止し、表面に波形、山形または凹凸状に形成した起伏部１５を図９、１０に示すごとく、平坦部１３の中央付近（裏面に設けたリブ部１６とリブ部１６の内側）は波形の振幅を短く、両端側（リブ部１６の外側）の波形の振幅を広く形成したことにより、前記電解着色塗装により形成した塗膜層の色ムラや乱反射を防止し、且つ、外壁板材としての景観を向上させることができる。
【００２１】
この第２外壁板材１２に設けた接続部１７は、左右対称で中央に位置した溝部１８の内側に内壁部１９、外側に外壁部２０を一体に形成し、該外壁部の上端を内側に折り曲げて水切り用の返し部２１を連設してある。
【００２２】
図１１、１２に示す第２防水蓋片４０は、前記第２外壁板材１２を使用して壁葺をするときに使用するもので、アルミ合金材を押出成形により同一断面形状に形成し、長尺で台形に形成した屋根部４１の頂部に水平な溝部４２を形成し、該溝部の両側表面と屋根部４１の表面全体に波形状の起伏部４５を形成すると共に、前記屋根部４１の下端内側に前記連結片２３の係止凸部２７と嵌合する係止凹部４３を一体に設けてある。
【００２３】
前記屋根部４１の下端内側に設けた係止凹部４３は、該係止凹部の下面を緩やかにカーブさせたガイド部４４を連設し、前記連結片２３の係止凸部２７との嵌合を容易にしてある。前記屋根部３１の内側に設けた空間部３６は、前記連結片２３に嵌合させた係止凹部４３と係止凸部２７との接合部分から雨水が浸入するのを防止している。
【００２４】
前記外壁下地Ｘは、図１５に示すごとく、土台４９に設けた支持台５０の一端に基枠５２と、屋根側に取付けた上部取付枠５３との間に耐火性を有する耐熱防火壁板５７と雨水の浸入を防止する防水シート５８を取付けて形成してある。
【００２５】
以下、本発明の実施形態の作用について説明すると、第１の実施の形態である第１外壁板材２と連結片２３と第１防水蓋片３０とからなる連結構造体１により、建物の外壁下地Ｘに壁葺作業を行う場合、図１３、１４に示すごとく、互いに隣接する第１外壁板材２、２′の接続部６、６′に設けた溝部７、７′内に連結片２３の支持脚部２５、２５を位置し、前記連結片２３の溝部２４に設けたネジ孔２８から止ビスまたは止ネジなどの固定部材３８で外壁下地Ｘに取付ける。
【００２６】
次いで、連結片２３の係止凸部２７に前記第１防水蓋片３０の係止凹部３３を嵌合することにより連結する。前記作業を幅方向に繰り返すことにより、順次第１外壁板材を外壁下地Ｘに取付けることができる。
【００２７】
図１４に示すごとく、第１外壁板材２と連結片２３の連結において、互いに隣接する第１外壁板材２、２′の接続部６、６′に設けた溝部７内に、連結片２３の支持脚部２５をそれぞれ位置し、且つ、溝部７の外壁部９の内側と、連結片２３の溝部２４の外壁部２４ａとを当接させて第１外壁板材２、２′の幅方向の間隔を固定させた後、前記したごとく、溝部２４のネジ孔２８から固定部材３８で外壁下地Ｘに取付ける。
【００２８】
この外壁下地Ｘに固着する連結片２３の押圧力と、第１外壁板材２の接続部６を構成する溝部７の外底面を外壁下地Ｘと面接触させ、且つ、第１外壁板材２に設けた一対のリブ部５、５で平坦部３を支持することにより、第１外壁板材２を安定して外壁下地Ｘに取付けることができる。
【００２９】
さらに、連結片２３で連結した第１外壁板材２、２′のそれぞれ他端側の接続部６、６に他の第１外壁板材２の一端に設けた接続部６を位置させ、互いの接続部６、６を連結片２３で連結する作業を繰りかえすことにより効率的に壁葺作業を行うことができる。
【００３０】
第１外壁板材２、２′を連結片２３で連結した後、第１防水蓋片３０を連結片２３に嵌合する際、この第１防水蓋片３０の嵌合は、連結片２３に設けた係止凸部２７上に第１防水蓋片３０の係止凹部３３を位置し、第１防水蓋片３０を上方から連結片２３方向に押圧すると、屋根部３１の先端に設けたガイド部３４が係止凸部２７に沿って外側にやや撓んで開くことによりにスムースに嵌合係止させることができる。
【００３１】
外壁下地Ｘに取付けた連結構造体１の雨仕舞は、第１外壁板材２と連結片２３との接続部部からの雨水の浸入は、接続部６に設けた外壁部９を高くし、先端に返し部１０を設けたことにより浸入を防止することができる。連結片２３の表面側は、第１防水蓋片３０を被せて塞ぐことにより、雨水の浸入を防止することができる。
【００３２】
また、連結片２３と第１防水蓋片３０との接合部分である係止凸部２７と係止凹部３３との雨仕舞は、連結片２３の支持部２６を支持脚部２５の外壁面２５ａの中間部分で第１外壁板材２の接続部６の上端と接触しない高さの水平方向に形成し、その先端に係止凸部２７を設けたことにより他の板材との接触を防止し、且つ、第１防水蓋片３０の屋根部３１の内側に広く空間部３６を設けたことにより、接合部分から浸入する雨水の毛細管現象を防止することができる。したがって、連結部分にシール剤を使用する必要がなく作業の効率化を図ることができると共に経済的である。
【００３３】
第１外壁板材２、２を縦方向に連結する場合、図１５に示すごとく、上下方向に位置する第１外壁板材２の上下両端の隙間にクランク型に折り曲げた水切板５５の一端を外壁下地Ｘに取付け、他端を平坦部３の前側で下方に位置する下部第１外壁板材と接触させることなく取付け、次いで、水切板５５の上方に連結するための上部第１外壁板材２′は、それぞれ連結片２３を使用して前記作業工程と同様に連結して壁葺する。
【００３４】
前記したごとく、それぞれ連結した第１外壁板材２、２′の上端は、図１５、１７に示すごとく、屋根の端部に設けた笠木枠板５１の内側で、一端を上部取付枠５３に取付けた上部水切板５６を取付けてある。この上部水切板５６は、第１防止蓋片３０を覆うために水切部５６ａを長く形成してある。
【００３５】
第１外壁板材２を使用して外壁下地Ｘに施工すると、図１５、１６、１７に示すごとく、第１外壁板材２の平坦部３の裏側にリブ部５を設けたことにより、外壁下地Ｘと平坦部３との間の上下方向に空気を流通させる流路Ｙを形成することができる。この外壁下地Ｘと第１外壁板材２との間に空気が流通する流路Ｙを設けたことにより、壁面の結露を防止し夏涼しく冬暖かい快適な建物を形成することができる。
【００３６】
第２の実施の形態である第２外壁板材１２と第２防水蓋片４０と前記連結片２３を使用して建物の外壁下地Ｘに壁葺作業を行う場合、外壁下地Ｘの左右上下方向へ第２外壁板材１２を取付ける作業は、前記第１外壁板材２を取付ける作業工程と同様であるため、説明が重複することからここでの説明を省略する。
【００３７】
この第２外壁板材１２と第２防水蓋片４０とを使用した壁面は、第２外壁板材１２の平坦部１３全体を湾曲させたこと、表面に波形状の起伏部１５を設けたこと、および第２防水蓋片４０の屋根部４１の全体に起伏部４５を設けたことにより、板材のたわみを防止し、表面を塗装した塗装部分の色むらや乱反射を防止することができると共に、外壁板材としての景観を向上させることができ、且つ、冬季などの気温が下がる時期でも板材の伸縮によるきしみ音を防止することができる。
【符号の説明】
【００３８】
１      外壁連結構造体
２      第１外壁板材
３      平坦部
５      リブ部
６      接続部
７      溝部
８      内壁部
９      外壁部
１０    返し部
１２    第２外壁板材
１３    平坦部
１５    起伏部
１６    リブ部
１７    接続部
１８    溝部
１９    内壁部
２０    外壁部
２３    連結片
２４    溝部
２５    支持脚部
２６    支持部
２７    係止凸部
３０    第１防水蓋片
３１    屋根部
３２    溝部
３３    係止凹部
３６    空間部
３８    固定部材
４０    第２防水蓋片
４１    屋根部
４２    溝部
４３    係止凹部
４４    ガイド部
４５    起伏部
４６    空間部
４９    土台
５０    支持台
５１    笠木板材
５３    取付枠
５５    水切板
５６    上部水切板
５７    耐熱防火壁
５８    防水シート
Ｘ      外壁下地
Ｙ      流路
【図１】
2016121456.tif 000003
【図２】
2016121456.tif 000004
【図３】
2016121456.tif 000005
【図４】
2016121456.tif 000006
【図５】
2016121456.tif 000007
【図６】
2016121456.tif 000008
【図７】
2016121456.tif 000009
【図８】
2016121456.tif 000010
【図９】
2016121456.tif 000011
【図１０】
2016121456.tif 000012
【図１１】
2016121456.tif 000013
【図１２】
2016121456.tif 000014
【図１３】
2016121456.tif 000015
【図１４】
2016121456.tif 000016
【図１５】
2016121456.tif 000017
【図１６】
2016121456.tif 000018
【図１７】
2016121456.tif 000019